(57)【要約】【課題】簡単な構成で待機電力を低減できる給湯機を提供すること。【解決手段】第一、第二の給湯制御負荷７、１０と、流量センサー８と、第一、第二の有線リモコン６、９と、前記有線リモコン６、９、前記流量センサー８の信号により前記給湯制御負荷７、１０の制御を行う制御手段２、３と、前記有線リモコン６、９、前記流量センサー８、前記給湯制御負荷７、１０、前記制御手段２、３へ電源を供給するスイッチング電源５と、前記スイッチング電源５の出力電圧を定常電圧と低電圧に切り替える電圧切り替え手段４と、前記制御手段２、３に接続された論理回路１を備え、前記制御手段２、３は、前記給湯制御負荷７、１０、前記有線リモコン６、９、前記流量センサー８が待機状態のとき、前記論理回路１に待機信号を与え、前記電圧切り替え手段４にて、前記制御手段２、３と前記有線リモコン６、９と前記流量センサー８とが動作可能な低電圧に切り替える。【選択図】図１
2014105912.tif 000002
【特許請求の範囲】
【請求項１】
第一、第二の給湯制御負荷と、給湯流量を検出する流量センサーと、各種設定および状態表示をおこなう第一、第二の有線リモコンと、前記第一、第二の有線リモコン、前記流量センサーの信号により前記第一、第二の給湯制御負荷の制御を行う制御手段と、前記有線リモコン、前記流量センサー、前記給湯制御負荷、前記制御手段へ電源を供給するスイッチング電源と、前記スイッチング電源の出力電圧を定常電圧と低電圧に切り替える電圧切り替え手段と、前記第一、第二の制御手段に接続された論理回路を備え、前記第一、第二の制御手段は、前記第一、第二の給湯制御負荷、前記第一、第二の有線リモコン、前記流量センサーが待機状態のとき、前記論理回路に待機信号を与え、前記電圧切り替え手段にて、前記第一、第二の制御手段と前記第一、第二の有線リモコンと前記流量センサーとが動作可能な低電圧に切り替えることを特徴とする給湯機。
【請求項２】
前記第一、第二の制御手段は、前記電圧切り替え手段が低電圧側の場合に、前記流量センサーからの信号を検出したとき、または、前記第一、第二の有線リモコンより待機からの復帰信号を受けたとき、または、前記第一、第二の給湯制御負荷を動作させるときのいずれか１つ以上の条件が満たされたとき、前記論理回路に復帰信号を与え、前記電圧切り替え手段を定常電圧に切り替えることを特徴とする請求項１に記載の給湯機。
【請求項３】
前記スイッチング電源と前記第一、第二の給湯制御負荷の制御電源およびセンサー電源間に、電源遮断手段を配置し、前記第一、第二の制御手段は前記第一、第二の給湯制御負荷、前記第一、第二の有線リモコン、前記流量センサーが待機状態のとき、前記電源遮断手段を遮断することを特徴とする請求項１または２に記載の給湯機。
【請求項４】
前記第一、第二の制御手段は、前記電源遮断手段が遮断側の場合に、前記流量センサーからの信号を検出したとき、または、前記第一、第二の有線リモコンより待機からの復帰信号を受けたとき、または、前記第一、第二の給湯制御負荷を動作させるときのいずれか１つ以上の条件が満たされたとき、前記電源遮断手段を復帰させることを特徴とする請求項３に記載の給湯機。
【発明の詳細な説明】
【技術分野】
【０００１】
本発明は、待機時の消費電力を低減させる制御装置を備えた給湯機に関するものである。
【背景技術】
【０００２】
従来、この種の給湯機の制御装置においては、配管に設けられた混合弁等の制御弁、循環ポンプ、流量センサー、水位センサー、有線リモコンなど複数の負荷、センサーへ電源供給を行っている。運転停止時に負荷、センサーが不用なときにおいても各負荷、各センサー内蔵のＩＣ等には待機電流が流れており合計すると無視できない電力となっている。
【０００３】
また、この待機電力を低減するために、各種制御弁、流量センサー、水位センサー、ヒートポンプ通信回路などの機能部品について、いくつかのグループにグループ分けし、分類した複数のグループについてグループ単位で通電を制御するものが提案されている（例えば、特許文献１参照）。
【先行技術文献】
【特許文献】
【０００４】
【特許文献１】特開２００６−３４９２７３号公報
【発明の概要】
【発明が解決しようとする課題】
【０００５】
しかしながら、前記従来の構成では、スイッチング電源が１つに対して複数の制御手段があった場合、それぞれの制御手段に接続される負荷の駆動を検出して制御手段間通信等によって電圧の切り替えを行うと、伝達遅延やノイズ等による通信異常があった時に適切な電圧切り替えが行えず、誤動作、故障の原因となる可能性がある。
【０００６】
また、グループ単位で負荷電源を制御させるための、駆動素子と制御を行うマイコンの制御ポートが複数必要となる。
【０００７】
さらに、待機時にグループ単位でセンサー電源を遮断するため、センサーの値を検出できないため定期的に通電しなくてはならず、異常検知しないような特別な処理が必要となる。
【０００８】
本発明は、前記従来の課題を解決するもので、簡単な構成で待機電力を低減できる給湯機を提供することを目的とする。
【課題を解決するための手段】
【０００９】
前記従来の課題を解決するために、本発明の給湯機は、第一、第二の給湯制御負荷と、給湯流量を検出する流量センサーと、各種設定および状態表示をおこなう第一、第二の有線リモコンと、前記第一、第二の有線リモコン、前記流量センサーの信号により前記第一、第二の給湯制御負荷の制御を行う第一、第二の制御手段と、前記第一、第二の有線リモコン、前記流量センサー、前記第一、第二の給湯制御負荷、前記第一、第二の制御手段へ電源を供給するスイッチング電源と、前記スイッチング電源の出力電圧を定常電圧と低電圧に切り替える電圧切り替え手段と、前記第一、第二の制御手段に接続された論理回路を備え、前記第一、第二の制御手段は、前記第一、第二の給湯制御負荷、前記第一、第二の有線リモコン、前記流量センサーが待機状態のとき、前記論理回路に待機信号を与え、前記電圧切り替え手段にて前記スイッチング電源の出力電圧を前記第一、第二の制御手段と
前記第一、第二の有線リモコンと前記流量センサーとが動作可能な低電圧に切り替えることを特徴とするものである。
【００１０】
これによって、制御手段、各制御負荷、各センサー内蔵のＩＣ等への電源電圧が低電圧に切り替わるため、（電圧低下）×（制御手段、各制御負荷、各センサー、有線リモコンの待機電流）分の電力を削減でき、論理回路を用いることで、制御手段間の通信に頼らず電圧切り替えを行うため伝達遅延や通信異常の懸念がなくなり、簡素な構成で待機電力を低減できる。
【発明の効果】
【００１１】
本発明によれば、制御手段間の通信に頼らず、各制御手段からの指示を直接、論理回路に入力して電圧切り替えの判断をさせることにより、伝達遅延や通信異常の懸念がなくなり、簡素な構成で待機電力を低減できる給湯機を提供することができる。
【図面の簡単な説明】
【００１２】
【図１】本発明の実施の形態１における給湯機の制御装置のブロック図
【図２】本発明の実施の形態１における給湯機の制御装置のフローチャート
【発明を実施するための形態】
【００１３】
第１の発明は、第一、第二の給湯制御負荷と、給湯流量を検出する流量センサーと、各種設定および状態表示をおこなう第一、第二の有線リモコンと、前記第一、第二の有線リモコン、前記流量センサーの信号により前記第一、第二の給湯制御負荷の制御を行う第一、第二の制御手段と、前記第一、第二の有線リモコン、前記流量センサー、前記第一、第二の給湯制御負荷、前記第一、第二の制御手段へ電源を供給するスイッチング電源と、前記スイッチング電源の出力電圧を定常電圧と低電圧に切り替える電圧切り替え手段と、前記第一、第二の制御手段に接続された論理回路を備え、前記第一、第二の制御手段は、前記第一、第二の給湯制御負荷、前記第一、第二の有線リモコン、前記流量センサーが待機状態のとき、前記論理回路に待機信号を与え、前記電圧切り換え手段にて前記スイッチング電源の出力電圧を前記第一、第二の制御手段と前記第一、第二の有線リモコンと前記流量センサーとが動作可能な低電圧に、前記第一、第二の制御手段間での通信に頼らず、伝達遅延や通信異常の懸念なく、切り替えることを特徴とする給湯機である。
【００１４】
これにより、前記第一、第二の制御手段および前記センサーを動作させたまま、定常電圧と低電圧の差分の電圧分の電力が低減でき、伝達遅延や通信異常の懸念がなくなる。
【００１５】
第２の発明は、特に、第１の発明の給湯機において、前記第一、第二の制御手段は、前記電圧切り替え手段が低電圧側の場合に、前記流量センサーからの信号を検出したとき、または、前記第一、第二の有線リモコンより待機からの復帰信号を受けたとき、または、前記第一、第二の給湯制御負荷を動作させたときのいずれか一つ以上の条件が満たされたとき、前記論理回路に復帰信号を与え、前記電圧切り替え手段を定常電圧に切り替えることにより、前記第一、第二の制御手段間での通信に頼らず、伝達遅延や通信異常の懸念なく、前記第一、第二の給湯制御負荷および前記第一、第二の有線リモコンを定常状態に復帰できる。
【００１６】
第３の発明は、特に、第１または第２の発明の給湯機において、前記スイッチング電源と前記第一、第二の給湯制御負荷の制御電源およびセンサー電源間に、電源遮断手段を配置し、前記第一、第二の制御手段は前記第一、第二の給湯制御負荷、前記第一、第二の有線リモコン、前記流量センサーが待機状態のとき、前記電源遮断手段を遮断することにより、一つの遮断手段で、前記第一、第二の給湯制御負荷の制御電源およびセンサー電源で消費している電力を低減できる。
【００１７】
第４の発明は、特に、第３の発明の給湯機において、前記第一、第二の制御手段は、前記電源遮断手段が遮断側の場合に、前記流量センサーからの信号を検出したとき、または、前記第一、第二の有線リモコンから待機からの復帰信号を受けたとき、または、前記第一、第二の給湯制御負荷を動作させるときのいずれか一つ以上の条件が満たされたとき、前記電源遮断手段を復帰させることにより、前記給湯制御負荷および前記有線リモコンを定常状態に復帰できる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における給湯機の制御装置のブロック図である。給湯機の制御装置は、図１に示すように、論理回路１と第一の制御手段２、第二の制御手段３が接続され、電圧切り替え手段４は、制御装置内の電源を供給するスイッチング電源５の出力電圧を、定常電圧と低電圧に切り替える。第一の有線リモコン６および第二の有線リモコン９は、制御装置の状態表示や設定を行う。給湯流量を検出する流量センサー８は第一の制御手段２に流量信号を送る。第一の給湯制御負荷７は、給湯混合弁や循環ポンプ等であり、第一の制御手段２の信号で駆動され、第二の給湯制御負荷１０は、第二の制御手段３の信号で駆動される。第一の給湯制御負荷７内にある第一の制御負荷のセンサー部１２は、検出信号を第一の制御手段２へと送る。第二の給湯制御負荷１０内にある第二の制御負荷のセンサー部１３は、検出信号を第二の制御手段３へと送る。電源遮断手段１１は、第一の制御手段２または第二の制御手段３からの信号により、スイッチング電源５から第一の制御負荷のセンサー部１２または第二の制御負荷のセンサー部１３への電源供給を遮断する。電圧切り替え手段４で切り替える低電圧時の設定電圧は、第一の制御手段２と第二の制御手段３、第一の有線リモコン６と第二の有線リモコン９、流量センサー８、第一の制御負荷のセンサー部１２と第二の制御負荷のセンサー部１３が動作可能な電圧に設定している。
【００２０】
次に第一の制御手段２と第二の制御手段３の動作を説明する。図２は本発明の第１の実施の形態における給湯機の制御装置のフローチャートである。
【００２１】
ステップ１では、第一の給湯制御負荷７と第二の給湯制御負荷１０が停止しているかどうかを判定し、両者が停止していなければステップ５へ進み、スイッチング電源は定常電圧、電源遮断手段は復帰し通常動作となる。両者が停止していれば、ステップ２へ進む。
【００２２】
ステップ２では、第一の有線リモコン６と第二の有線リモコン９が待機かどうかを判定し、両者が待機でなければステップ５へ進み、スイッチング電源は定常電圧、電源遮断手段は復帰し通常動作となる。両者が待機であれば、ステップ３へ進む。
【００２３】
ステップ３では、流量センサー８が待機かどうかを判定し、流量センサー８が待機でなければステップ５へ進み、スイッチング電源は定常電圧、電源遮断手段は復帰し通常動作となる。流量センサー８が待機であればステップ４へ進み、スイッチング電源は低電圧、電源遮断手段は遮断し、待機動作となる。
【００２４】
以上のように、本実施の形態においては、第一の給湯制御負荷７および第二の給湯制御負荷１０の停止、かつ第一の有線リモコン６および第二の有線リモコン９の待機、かつ流量センサー８の待機、の全条件が満足するときに、スイッチング電源５は低電圧となり電源遮断手段１１は遮断し、待機動作となり待機電力の低減を図ることができる。
【００２５】
また、低電圧時の電圧は、第一の制御手段２および第二の制御手段３、第一の有線リモコン６および第二の有線リモコン９、流量センサー８が正常に動作する値に設定してあり、通常の動作を行うことができる。しかし、第一の給湯制御負荷７および第二の給湯制御負荷１０の停止、第一の有線リモコン６および第二の有線リモコン９の待機、流量センサー８の待機、のいずれかの条件が１つでも満足できなくなると、スイッチング電源５は定常電圧となり電源遮断手段１１は復帰となって、通常の動作に戻ることができる。
【００２６】
さらに、制御手段間の通信に頼らず、各制御手段からの指示を直接論理回路１に入力して、電圧切り替えの判断をさせることにより、伝達遅延や通信異常の懸念がなくなる。
【産業上の利用可能性】
【００２７】
以上のように、本発明にかかる給湯機は、全給湯制御負荷とリモコンと流量センサーが待機状態になっとき、制御電源の電圧を低電圧に切り替えるため、制御手段およびセンサーを動作させたまま、電圧低下分の電力を低減することができ、また、１つのスイッチング電源に対して複数の制御手段があった場合、制御手段間の通信に頼らず、各制御手段からの信号を直接、論理回路に入力して電圧切り替えの判断をさせることにより、伝達遅延や通信異常の懸念がなくなるので、電気、ガス、石油等の給湯機、燃料電池など様々な給湯方式の用途にも適用できる。
【符号の説明】
【００２８】
１  論理回路
２  第一の制御手段
３  第二の制御手段
４  電圧切り替え手段
５  スイッチング電源
６  第一の有線リモコン
７  第一の給湯制御負荷
８  流量センサー
９  第二の有線リモコン
１０  第二の給湯制御負荷
１１  電源遮断手段
１２  第一の制御負荷のセンサー部
１３  第二の制御負荷のセンサー部
【図１】
2014105912.tif 000003
【図２】
2014105912.tif 000004